(57)【要約】  本発明は、少なくとも１つセンサ要素（１７）を備えた筐体（１４）を有し、センサ要素（１７）が、縦軸（１６）に沿って少なくともわずかに移動可能に受けられ、少なくとも１つの第１の巻き取り装置（４４）を備え、センサ要素（１７）が、筐体（１４）の縦軸（１６）に配置される磁性ポットコア（４１）を有し、磁性ポットコア（４１）の中心ピン（４２）に、第１及び第２のコイル（７０、７１）が割り振られ、中心ピン（４２）に、測定すべき物体の測定面を向いた球形位置決めキャップ（２１）を有し、キャップ（２１）が、測定面に適合する軸受け表面（５７）を備える、薄層の厚さを測定する測定プローブであって、第２の巻き取り装置（４８）が、球形位置決めキャップ（２１）に提供され割り振られ、第２の巻き取り装置（４８）が、少なくとも１つのアルキメデスコイル（５１）を有する円盤状又は環状キャリア（４９）から形成され、シールド（８３、８５）が、少なくとも部分的に第１の巻き取り装置（４４）と第２の巻き取り装置（４８）との間に提供される、測定プローブに関する。【選択図】      図２
2014515481.tif 000002
【特許請求の範囲】
【請求項１】
筐体（１４）を有し、少なくとも１つセンサ要素（１７）を有し、センサ要素（１７）は、縦軸（１６）に沿って少なくともわずかに移動可能に受けられ、少なくとも１つの第１の巻き取り装置（４４）を備え、センサ要素（１７）は、筐体（１４）の縦軸（１６）に配置される磁性ポットコア（４１）を有し、磁性ポットコア（４１）の中心ピン（４２）に、第１及び第２のコイル（７０、７１）が割り振られ、中心ピン（４２）に、測定すべき物体の測定面を向いた球形位置決めキャップ（２１）を有する。前記キャップ（２１）は、測定面に適合する軸受け表面（５７）を備え、薄層の厚さを測定する測定プローブであって、第２の巻き取り装置（４８）が、前記球形位置決めキャップ（２１）に提供され割り振られることを特徴とし、また、球形位置決めキャップ（２１）は、第２の巻き取り装置（４８）が、少なくとも１つのアルキメデスコイル（５１）を有する円盤状又は環状キャリア（４９）から形成されることと、シールド（８３、８５）が、少なくとも部分的に前記第１の巻き取り装置（４４）と前記第２の巻き取り装置（４８）との間に提供されることを特徴とする、測定プローブ。
【請求項２】
前記球形位置決めキャップ（２１）が、軟磁性材料から製造され、好ましくは、前記ポットコア（４１）の前記中心ピン（４２）の一部であるか、又は前記ポットコア（４２）の前記中心ピン（４２）に固定されることを特徴とする、請求項１に記載の測定プローブ。
【請求項３】
前記球形位置決めキャップ（２１）が、前記丸い軸受表面（５７）に、硬質金属コーティングにより形成されるポルキャップ（５８）を有することを特徴とする、請求項１に記載の測定プローブ。
【請求項４】
前記球形位置決めキャップ（２１）が、前記丸い軸受け表面（５７）に、硬質金属芯又は硬質金属ピン（５９）により形成される前記ポルキャップ（５８）を有し、前記ポルキャップ（５８）が、少なくとも部分的に、前記ポットコア（４１）の方向において前記軸受け表面（５７）から前記球形位置決めキャップ（２１）の前記縦軸（１６）に沿って延びることを特徴とする、請求項１に記載の測定プローブ。
【請求項５】
前記球形位置決めキャップ（２１）が、前記軸受け表面（５７）と位置合わせして、周縁が先細りする領域（８１）を有し、領域（８１）に、フェライト材料から作られたスリーブ（８３）が提供され、スリーブ（８３）が、前記第２の巻き取り装置（４８）に向かう前記半径方向においてシールドを形成することを特徴とする、請求項１に記載の測定プローブ。
【請求項６】
前記スリーブ（８３）の自由前面が、球形位置決めキャップ（２１）の軸受け表面（５７）と共に丸められることを特徴とする、請求項５に記載の測定プローブ。
【請求項７】
前記スリーブ（８３）が、前記ポットコア（４１）に向かう方向において前記軸受け表面（５７）から延び、前記スリーブ（８３）の長さは、前記第２の巻き取り装置（４８）の厚さよりも大きいことを特徴とする、請求項５に記載の測定プローブ。
【請求項８】
第２の巻き取り装置（４８）が、特に、前記丸い軸受け表面（５７）の近傍に、前記球形位置決めキャップ（２１）に対して前記スリーブ（８３）の領域に位置決めされることを特徴とする、請求項５に記載の測定プローブ。
【請求項９】
フェライト材料から作られた遮蔽要素（８５）が、ポットコア（４１）内の第１の巻き取り装置（４４）と前記第２の巻き取り装置（４８）との間に提供され、前記第２の巻き取り装置（４８）に向かう前記軸方向においてシールドを形成することを特徴とする、請求項１に記載の測定プローブ。
【請求項１０】
前記遮蔽要素（８５）が、環状体又は円盤体として形成され、前記中心ピン（４２）から前記ポットコア（４１）の円筒形内壁部に延びることを特徴とする、請求項９に記載の測定プローブ。
【請求項１１】
重複領域（８６）が、前記遮蔽要素（８５）と前記スリーブ（８３）との間に形成されることを特徴とする、請求項１０に記載の測定プローブ。
【請求項１２】
少なくとも１つの第２のアルキメデスコイル（５０）が前記キャリア（４９）に提供され、前記第１のアルキメデスコイル（５１）を囲み、好ましくは、前記キャリア（４９）と同じ側又は逆側に配置されることを特徴とする、請求項１に記載の測定プローブ。
【請求項１３】
少なくとも１つの第２のアルキメデスコイル（５０）が前記キャリア（４９）に提供され、前記第１のアルキメデスコイル（５１）の逆側で前記キャリア（４９）に配置され、前記第１のアルキメデスコイル（５１）に少なくとも部分的に重なることを特徴とする、請求項１に記載の測定プローブ。
【請求項１４】
前記キャリア（４９）が、半導電材料からなり、前記第１及び／又は第２の巻き取り装置（４４、４８）の実施又は内接回路を備えることを特徴とする、請求項１に記載の測定プローブ。
【請求項１５】
内部に実施されるか、又は内接する回路を有する前記キャリア（４９）が、前記ポットコア（４１）の外側、前記ポットコア（４１）内、又は前記筐体（１４）の外側を向いた前記ポットコア（４１）の前面に配置されることを特徴とする、請求項１４に記載の測定プローブ。
【請求項１６】
実施回路を有する前記キャリア（４９）が、前記第２の巻き取り装置（４８）の前記第１のコイル（５０）と前記第２のコイル（５１）との間に配置されることを特徴とする、請求項１４に記載の測定プローブ。
【請求項１７】
前記保持要素（１８）が、前記第１の面を向いた前記ポットコア（４１）の前面又はポットコア（４１）の一部に配置され、前記筐体（１４）に対して前記センサ要素（１７）を受けることを特徴とする、請求項１に記載の測定プローブ。
【発明の詳細な説明】
【技術分野】
【０００１】
本発明は、請求項１の前文による薄層の厚さを測定する測定プローブに関する。
【背景技術】
【０００２】
薄層の厚さを測定する測定プローブは、（特許文献１）から既知である。この測定は筐体を備え、筐体内に、少なくとも１つのセンサ要素が提供され、センサ要素は、筐体内で、筐体の縦軸の芯に少なくともわずかに移動可能に受けられる。センサ要素は少なくとも１つの巻き取り装置を備え、巻き取り装置はポットコアにより受けられる。ポットコアは中心ピンを備え、中心ピンの筐体に面する端部に、球形位置決めキャップが提供される。ポットコアは、その上に配置されたセンサ要素及び球形位置決めキャップを有し、弾性可撓性保持要素により受けられ、弾性可撓性保持要素は筐体の前端部に固定される。そのような測定プローブは、磁気誘導方法により薄層を測定するように設計することができ、磁性ベース材料上の非強磁性金属の厚さを非破壊的に特定することができる。このために、第１の巻き取り装置は第１及び第２のコイルを備える。同様に、この測定プローブは、渦電流により層厚を測定するためにも適し、非強磁性材料上の非導電層の厚さを非破壊的に特定することができる。このために、センサ要素はホール効果センサとして設計される。
【０００３】
さらに、磁気誘導方法並びに渦電流方法により使用することができるプローブが既知である。
【０００４】
測定装置の測定精度の仕様は常に増大している。これは、測定装置が、湾曲した測定面等の幾何学的形状障害をなくすとともに、より大きな応用分野を達成するために、より小型に設計する必要があるのみならず、測定面に悪影響を及ぼさずにこれらを垂直に装着することができるように、より小さな質量を有さなければならないことを意味する。
【先行技術文献】
【特許文献】
【０００５】
【特許文献１】独国特許出願公開第１０  ２００５  ０５４  ５９３  Ａ１号
【発明の概要】
【発明が解決しようとする課題】
【０００６】
本発明の目的は、測定精度の仕様の増大が満たされる測定プローブを製造することであり、磁気誘導方法及び渦電流方法の両方による測定が可能な測定プローブを提供することである。
【課題を解決するための手段】
【０００７】
この目的は、球形位置決めキャップに割り振られる第１の巻き取り装置に加えて、少なくとも１つのアルキメデスコイルを有する円盤状又は環状キャリアからなる第２の巻き取り装置が割り振られ、特にフェライト材料から作られたシールドが、少なくとも部分的に第１の巻き取り装置と第２の巻き取り装置との間に提供される、測定プローブにより解決される。この構成により、磁気誘導測定方法及び渦電流方法の両方をそれぞれ、相互の影響及び干渉なしで実行できるようにすることが可能であり、同時に、両巻き取り装置を空間的に互いの近傍に位置決めすることができる。特に、球形位置決めキャップを囲む少なくとも１つのアルキメデスコイルを有する円盤状又は環状キャリアから形成される第２の巻き取り装置の実施形態により、巻き取り装置を、測定すべき物体の測定面の近傍に案内することができ、それにより、測定感度が改良され、ひいては測定精度が向上する。渦電流方法により測定を実行する第２の巻き取り装置の少なくとも１つのアルキメデスコイルのこの実施形態により、高周波場を測定面上に直接、ほぼ垂直に案内することができる。それにより、非常に高感度の測定プローブ、ひいては高分解能を達成して、より薄い層を触的に記録することもできる。
【０００８】
測定プローブの球形位置決めキャップは、好ましくは、軟磁性材料から製造され、磁気誘導測定中、磁力線を測定面によりよく案内する。第１の実施形態によれば、球形位置決めキャップは、ポットコアの中心ピンの一部分として形成され、ポットコアは第１の巻き取り装置を受ける。あるいは、球形位置決めキャップは、軟磁性材料から製造することができ、ポットコアに固定することができる。この実施形態は、例えば、一方では、標準化ポットコアを使用することができ、他方では、様々な測定作業に適合する球形位置決めキャップを使用することができる。
【０００９】
球形位置決めキャップは丸い軸受け表面を有し、内部にポルキャップ（pol cap）が提供され、第１の実施形態により硬質金属コーティングからなる。したがって、そのような球形位置決めキャップの単純な構造によって、高レベルの耐摩耗性が可能となる。そのような硬質金属コーティングは、研磨により仕上げることができる。例えば、コーティングはＴｉＣコーティングにより形成することができる。この時の層厚は１μｍ〜１０μｍ、特に２μｍであることができる。
【００１０】
あるいは、球形位置決めキャップの軸受け表面のポルキャップは、硬質金属芯又は硬質金属ピンにより形成され、有利なことに、少なくとも部分的に、ポットコアの方向において軸受け表面から球形位置決めキャップの縦軸に沿って延びる。したがって、向上したレベルの耐摩耗性を同様に提供することができる。
【００１１】
少なくとも部分的に形成された、測定プローブ内の第１の巻き取り装置と第２の巻き取り装置との間に形成されたシールドはフェライトスリーブにより形成することができ、このフェライトスリーブは、軸受け表面と位置合わせされた球形位置決めキャップの先細り部分に配置される。したがって、フェライトスリーブは、球形位置決めキャップの外周縁に提供され、フェライトスリーブの外周面は、好ましくは、球形位置決めキャップ又はポットコアの外周縁にぴったり重なって併合する。フェライトスリーブは、軟磁性材料からなる球形位置決めキャップの断面と比較して、半径方向において第２の巻き取り装置に向かう遮蔽を可能にすることができる。したがって、フェライトスリーブと、特に球形位置決めキャップの縦軸において特に導入されるか、又は間に配置されるポルキャップとして内部に提供される硬質金属コーティングである硬質金属芯との間で、球形位置決めキャップの軟磁性材料が軸受け表面まで延び、第１の巻き取り装置による磁気誘導測定方法中、磁場の磁束線を測定面に直接導入することも可能になる。
【００１２】
フェライトスリーブの前面は、好ましくは、軸受け表面に配置され、これによって丸められる。したがって、第２の巻き取り装置は、軸受け表面の近傍に位置決めすることもできる。
【００１３】
強磁性スリーブは、好ましくは、球形位置決めキャップの軸受け表面からポットコアに向かい、スリーブの長さが第２の巻き取り装置の厚さよりも大きくなるように設計されるように延びる。これは、低周波磁気誘導測定中、遮蔽及び影響を支持する。
【００１４】
さらに、フェライト材料から作られたさらなる遮蔽要素が、好ましくは、ポットコア内の第１の巻き取り装置と第２の巻き取り装置との間に提供され、軸方向においてシールドを形成する。上述した効果と同じ効果を、この分離により達成することができる。さらに、高周波測定中、渦電流場が測定面に向かって集化され、それにより、渦電流効果が増大する。
【００１５】
遮蔽要素は、好ましくは、中心ピンとポットコアの内周壁との間に延びる穿孔された円盤又は穿孔された薄膜として形成される。したがって、遮蔽要素は単純なインサートとして形成することができる。
【００１６】
重複領域は、第１の巻き取り装置と第２の巻き取り装置との間及び軟磁性材料からなる球形位置決めキャップの基体とを完全に遮蔽するために、フェライトスリーブと遮蔽要素との間に形成される。したがって、２つの別個の遮蔽要素は相互の完全なシールドを形成することができる。
【００１７】
第２の巻き取り装置の少なくとも１つのアルキメデスコイルは、好ましくは、筐体の前に向かって外側を指して位置決めされる。したがって、このコイルは、測定面のさらに近傍に案内することができる。
【００１８】
第２の巻き取り装置のさらなる好ましい実施形態によれば、第２のアルキメデスコイルはキャリア上に配置され、第１のアルキメデスコイルを囲む。この第２のアルキメデスコイルは、湾曲を補うために提供され、第１の、好ましくは内側の、アルキメデスコイルは、層厚の測定に使用される。
【００１９】
第１の実施形態によると、第２の巻き取り装置の第１及び第２のアルキメデスコイルは、キャリアと同じ側にある。あるいは、これらはそれぞれ、キャリアの逆側に配置することもでき、内側コイルは、好ましくは、筐体の前に向き、外部アルキメデスコイルは、内側コイルの外側に配置され、第２の巻き取り装置に向いてキャリア上に提供される。
【００２０】
他の実施形態においては、第１及び第２のコイルがそれぞれキャリアの片側に配置され、これらが少なくとも部分的に互いに重なることを提供する。したがって、第２の巻き取り装置の直径をさらに低減することができ、湾曲を補うことによって、渦電流方法による層厚の測定を実行することが同様に可能である。
【００２１】
キャリアはさらに、半導電材料からなり、第１の巻き取り装置の実施回路又は内接回路を備える。例えば、シリコン又はゲルマニウムを半導電材料として使用することができる。この構成により、コンパクトで構造的に小さな測定プローブが可能になる。そのような円盤状キャリアは、例えば、円盤状キャリアにより、ポットコア又はポットコアの前部クロージャへの直接取り付け及び一体化が可能なようなポットコアの外径を有し、円盤状キャリアによってさらに小さな外径を有することができる。さらに、キャリアへの回路の統合は、単純な回路構成及びさらなる巻き取り装置への線接続が提供されるという利点を有する。
【００２２】
さらに、代替として、キャリアには、ポットコアの外側、ポットコア内側、又は筐体の外側に面するポットコアの前に実施又は内接する回路を構成することができる。構造に応じて、そのような測定プローブのコンパクト性をさらに増大させるために、対応する選択を行うことができる。さらに、実施回路を有するキャリアは、第２の巻き取り装置の第１のアルキメデスコイルと第２のアルキメデス回路との間に配置することができる。
【００２３】
さらに、センサ要素を受ける保持要素が、好ましくは、前面又は前面に面するポットコアの一部に接触し、逆側では、筐体の前端部に接触し、少なくともわずかな弾性取り付けによってセンサ要素を受ける。ポットコアの外縁領域上において、センサ要素を前側で受けることにより、第２の巻き取り装置を測定面のさらに近傍に案内することができる。加えて、保持要素を覆うことにより、干渉されない。
【００２４】
本発明と、さらに有利な実施形態、及び本発明のさらなる展開を、図面に示される例を使用してさらに詳細に以下に説明する。説明及び図面から抜き出される特徴は、本発明により、個々に、又は任意の組み合わせで一緒に適用することができる。
【図面の簡単な説明】
【００２５】
【図１】本発明による測定プローブの第１の実施形態の概略断面図である。
【図２】図１による測定プローブのセンサ要素の概略拡大断面図である。
【図３】図２による実施形態への概略図である。
【図４】図２に対する代替の実施形態の概略断面図である。
【発明を実施するための形態】
【００２６】
薄層の厚さを測定する装置の測定プローブ１１（さらに詳細には示さず）の断面図が図１を概略的に示す。この測定プローブ１１は、層厚の非破壊的な測定に使用される。この測定プローブ１１は、例示的な実施形態によれば、薄層の厚さを測定する装置のデータ処理装置とは別個に提供することができ、接続ケーブル１２を介して、又は無線で記録値を転送することができる。あるいは、この測定プローブ１１は、静止装置又はハンドヘルド装置の形態で、薄層の厚さを測定する装置の一部分であることができる。
【００２７】
測定プローブ１１は筐体１４を有し、筐体１４は特に、円筒形に形成される。少なくとも１つのセンサ要素１７が、好ましくは、筐体１４の縦軸１６に配置される。このセンサ要素１７は保持要素１８により支えられ、保持要素１８は筐体１４の端部１９で受けられる。センサ要素２１が、筐体１４の縦軸１６において少なくとも１つの球形位置決めキャップ１７に提供され、位置決めキャップは、測定プローブ１１の装着中、ベース又はキャリア材料上の層厚を特定するために、さらに詳細に示していない測定すべき物体の測定面に位置決めすることができる。
【００２８】
少なくとも１つのセンサ要素１７は、例えば、縦軸１６と同軸に配置される案内要素２３を有し、案内要素２３は、筐体に固定された軸受け２４で変位可能に受けられる。したがって、測定すべき物体の測定面への測定プローブ１１の傾きのない装着移動の精度が高まる。軸受け２４は、空気軸受け又は低摩擦滑り軸受けとして形成することができる。筐体に固定されるこの軸受け２４は、好ましくは、筐体１４のカラー２６に配置され、それにより、軸受け２４の単純で高速な位置決めが、半径方向及び軸方向において可能になる。軸受け２４は、コネクタ２８をさらに備え、コネクタ２８は、接続ケーブル１２に接続するために提供される。目的に応じて、筐体１４は、適宜完成することができる。例示的な実施形態によるスタンドアロン式プローブを実施するために、筐体１４は、接続ケーブル１２の接続後、例えば、カバー２９又は蓋で閉じられる。それにより、手動の測定プローブが、接続ケーブル１２を介して静止装置に接続される。手動の測定プローブ又は静止装置に挿入がある場合、カバー２９は不要となる。
【００２９】
数本の個々のワイヤ又は可撓性導電帯を有する可撓性線３１は、軸受け２４上のセンサ要素１７と、例えば、コネクタ２８との間に提供され、導電帯は曲げ応力に耐える。そのような曲げ応力は、プローブを測定すべき物体の表面に装着する間、少なくとも１つのセンサ要素１７の上昇移動により生じる。この場合、センサ要素１７は少なくともわずかに筐体１４内で下がる。
【００３０】
円盤形の保持要素１８が、好ましくは、端部１９において筐体端部側窪み３３に固定される。したがって、半径方向及び軸方向の構成が単純な様式で確立される。第１の実施形態では、保持要素１８は、媒質が透過しないように窪み３３に固定される。同時に、センサ要素１７が、その筐体１４によっての保持要素１８のボア穴３５に、媒質が透過しないように提供される。したがって、筐体１４は、汚染による装着移動への干渉、ひいては筐体１４内への少なくとも１つのセンサ要素１７の落下が提供されないように、外部からハーメチックシールされる。
【００３１】
測定プローブ１１内の少なくとも１つのセンサ要素１７の配置及び組み立ては、単なる例示である。筐体１４内に少なくとも１つのセンサ要素１７を縦方向に変位可能に取り付ける測定プローブ１１の他の実施形態を提供することもできる。
【００３２】
図１による測定プローブ１１のセンサ要素１７の第１の実施形態は、図２の概略拡大を用いて示される。センサ要素１７は、中心ピン４２を有する、筐体として形成されるポットコア４１を備え、それにより、環状受け空間が形成される。第１の巻き取り装置４４がこの受け空間内に配置される。この第１の巻き取り装置４４は第１及び第２のコイル７０、７１を備え、これらのコイルは多層の巻かれたコイルとして形成され、磁気誘導方法による厚さ測定を実行するように構成される。磁気誘導測定方法は、例えば、クロム、銅、亜鉛等の非強磁性金属層又は鋼若しくは鉄等の磁性ベース材料上での測定に適し、鋼及び鉄等の磁性ベース材料上の塗料、ラッカー、及びプラスチック層にも適する。測定範囲は、例えば、最高で１８００μｍの厚さの層であり、好ましくは、３００Ｈｚ未満の周波数が使用される。ポットコア４１及び中心ピン４２は、軟磁性材料、特に軟鉄から製造される。
【００３３】
第２の巻き取り装置４８は、ポットコア４１の前端部４６に配置され、前端部４６は、図２によれば球形位置決めキャップ２１の部分であり、筐体１４の前部外面に向けられる。この第２の巻き取り装置４８は円盤状キャリア４９を備え、円盤状キャリア４９には、コイル５１が、好ましくは、アルキメデスのように単層で提供される。コイル５１は、筐体１４の前部外面に向けられるように配置され、球形位置決めキャップ２１の境界となる。逆側では、例示的な実施形態によると、第２のコイル５０もキャリア４９に配置される。これは、半径方向外側に延びて、球形位置決めキャップ２１の境界となる。キャリア４９は中央開口部５４を有し、中央開口部５４を通って、球形位置決めキャップ２１が延び、球形位置決めキャップ２１は、中心ピン４２に固定されるか、又は中心ピン４２の延長を表す。キャリア４９は、好ましくは、ポットコア４１の内周縁カラー５２上又はポットコア４１の前面５３により形成される平面上に配置される。
【００３４】
アルキメデスコイル５０、５１は、キャリア４９に金属導電層、特に、銅の層から製造することができる。これは、例えば、０．１ｍｍ未満の厚さを有することができる。厚さは特に、約０．０１ｍｍの域である。アルキメデスコイルは、レーザ除去により製造され、例えば、０．０１９ｍｍの線幅が、好ましくは、厚さ０．０１ｍｍで残り、０．１ｍｍ〜０．０５ｍｍの範囲内、特に０．０１ｍｍのスペースが個々の巻線間に残る。より詳細に示されない絶縁層又は保護層を、例えば、ラッカー等の形態でこのコイル５０、５１に適用することができる。
【００３５】
あるいは、コイル５０、５１は、エッチング方法によりキャリア４９に適用することもできる。同様に、キャリア４９への金属層の蒸着方法も、コイル５０、５１の形成で可能である。コイルを巻くことで、さらに可能となる。
【００３６】
第２の巻き取り装置４８により、渦電流方法による測定が可能になり、すなわち、非強磁性金属上の非導電層、例えば、アルミニウム、銅、ブラス、ステンレス鋼、又はアルミニウムから作られる他の陽極酸化された層上の塗料、ラッカー、プラスチックの厚さの測定が、高周波交番磁場で可能になる。ここで、少なくとも１ＨＭｚの周波数での交番磁場が印加される。
【００３７】
球形位置決めキャップ２１は、図２によれば、中心ピン４２の一部分として形成され、測定すべき物体の表面に対する丸い軸受け表面５７を有する。ポルキャップ５８は丸い軸受け表面５７内に形成され、薄層の厚さを測定するために、丸い軸受け表面５７は、コーティングされた物体上の軸受け表面として支持される。ポルキャップ５８は、例えば、硬質金属コーティングからなり、又は例示的な実施形態に示されるように、例えば、ＴｉＣ、ＴｉＮ、又はＴｉ（ｃ，ｎ）から作られる硬質金属インサートもしくは硬質金属ピンからなる。
【００３８】
あるいは、硬質金属中実玉又は硬質金属半玉を提供することもできる。これは、球形位置決めキャップ２１内に挿入され、押し付けられ、又は接着され、ポルキャップ５８を形成する。
【００３９】
球形位置決めキャップ２１は、丸い軸受け表面５７の外縁領域に先細り領域８１を有し、先細り領域は段階的な当接面として形成される。この先細り領域８１は、中心ピン４２の外周縁よりも小さな直径で形成される。フェライト材料から作られるスリーブ８３が、この先細り領域８３に配置又は提供され、スリーブは、球形位置決めキャップ２１に向かい半径方向において第２の巻き取り装置４８を遮蔽するように機能する。
【００４０】
フェライト材料から作られるこのスリーブ８３は、球形位置決めキャップ２１の丸い軸受け表面５７と同一平面に形成される。あるいは、球形位置決めキャップ２１の丸い軸受け表面５７の逆である測定面に向けられる前面は、跳ね返ることができる。フェライト金属のスリーブ８３は、少なくとも、これが半径方向から見て第２の巻き取り装置４８を少なくとも部分的に覆うように配置される第１の巻き取り装置４４に向かう方向において、縦軸１６に平行する縦方向に延びる。スリーブ８３の長さは、好ましくは、第１の巻き取り装置４４の方向において第２の巻き取り装置４８にわたり延びる。このスリーブ８３は、第１の巻き取り装置４４と第２の巻き取り装置４８との間のシールドの第１の要素を表す。
【００４１】
遮蔽要素８５が、中心ピン４２とポットコア４１との間の中間空間に提供され、遮蔽要素はさらに、第１及び第２の巻き取り装置４４、４８を互いから遮蔽する。この遮蔽要素８５も同様に、フェライト材料から形成され、好ましくは、円盤形の輪郭を有する。この遮蔽要素８５は、例えば、フェライト薄膜であることもできる。これは、好ましくは、内側コイル５０を覆う。縦軸方向を指して、遮蔽要素８５及びスリーブ８３が、これらが好ましくは互いに接触するように、重複領域８６を有することが提供される。
【００４２】
第２の巻き取り装置４８では、コイル５０は前側のコイル５１よりも大きな直径を有する。したがって、コイル５１は層厚を測定するように機能する。コイル５０は、平面から逸れた、測定すべき物体の曲率を測定するために使用される。したがって、曲率の影響を補うことができる。コイル７１の磁場は、スリーブ８３及び遮蔽要素８５によるシールドにより遮蔽される。遮蔽要素８５は、低周波磁場が略影響を受けないままであり、第１の巻き取り装置４４の低周波測定効果が弱化しないように非常に低い透磁率を有する。
【００４３】
渦電流測定の場合、遮蔽要素８５は、コイル７１の巻きが測定効果を低減しないという利点を有する。実際、コイル５０の後部磁場は、測定効果に関して低減されない。したがって、磁場は集中し、渦電流効果を補強する。高周波による渦電流測定中、測定効果に影響しないように、球形位置決めキャップ２１のフェライト材料から作られるスリーブ８３により、渦電流場は、渦電流測定中、第２の巻き取り装置４８により丸い軸受け表面５７に繋がる球形位置決めキャップ２１又は軟磁性部分から遮蔽される。
【００４４】
図２に示される実施形態では、好ましくは、キャリア４９自体が回路７６を受けることが提供される。あるいは、回路は、第２の巻き取り装置４４のコイル５０と遮蔽要素８５との間、遮蔽要素８５とコイル７１との間、又はさらにはポットコア４１とコイル７０との間に提供することもできる。同様に、回路は、ポットコア４１の外部で固定することもできる。
【００４５】
図２によるポットコア４１上の概略上面図を図３に示す。溝６１がポットコア４１の外周に提供され、溝６１を用いて、接続線が測定プローブ１１の筐体内部に案内される。さらに、溝６２はポットコア４１の中心ピン４２に配置することができ、それにより、第１及び第２の巻き取り装置４４、４８の接続線を案内する自由空間が可能になる。線は、ポットコア４１のベース４３の開口部４７を介して、ポットコア４１から出るように案内することもできる。
【００４６】
図２に対する代替の実施形態を図４に示す。
【００４７】
この実施形態は、第２の巻き取り装置４８が層厚を測定する１つのアルキメデスコイル５１のみを備える点で異なる。回路７６及び遮蔽要素８５は、例えば、キャリア４９の逆側に配置される。付随して、上記実施形態を参照することができる。
【００４８】
二重測定プローブはこのセンサ要素１７により作成される。それにより、第１の巻き取り装置４４は磁気誘導測定方法を実行することができ、第２の巻き取り装置４８は渦電流測定方法に従って層厚測定を実行することができ、小さな構成を有し、第２の巻き取り装置４８を球形位置決めキャップ２１に位置決めし、少なくとも１つのアルキメデスコイル５１を形成することにより、センサ要素１７全体を、測定すべき物体の測定面に直接案内することができる。センサ要素１７の寸法により、高密度の測定場−すなわち、磁気誘導場及び渦電流場の両方−を達成することができる。したがって、高レベルの測定感度が達成され、すなわち、測定値の分解能は１桁ナノメートル範囲内、したがって０．００１μｍの範囲内にある。
【図１】
2014515481.tif 000003
【図２】
2014515481.tif 000004
【図３】
2014515481.tif 000005
【図４】
2014515481.tif 000006
【手続補正書】
【提出日】平成26年1月28日(2014.1.28)
【手続補正１】
【補正対象書類名】特許請求の範囲
【補正対象項目名】全文
【補正方法】変更
【補正の内容】
【特許請求の範囲】
【請求項１】
少なくとも１つセンサ要素（１７）を備えた筐体（１４）を有し、前記センサ要素（１７）は、縦軸（１６）に沿って少なくともわずかに移動可能に受けられ、少なくとも１つの第１の巻き取り装置（４４）を備え、前記センサ要素（１７）は、前記筐体（１４）の前記縦軸（１６）に配置される磁性ポットコア（４１）を有し、前記磁性ポットコア（４１）の中心ピン（４２）に、第１及び第２のコイル（７０、７１）が割り振られ、前記中心ピン（４２）に、測定すべき物体の測定面を向いた球形位置決めキャップ（２１）を有し、前記キャップ（２１）は、測定面に適合する軸受け表面（５７）を備える、薄層の厚さを測定する測定プローブであって、第２の巻き取り装置（４８）が、前記球形位置決めキャップ（２１）に提供され割り振られ、前記第２の巻き取り装置（４８）は、少なくとも１つのアルキメデスコイル（５１）を有する円盤状又は環状キャリア（４９）から形成されることと、シールド（８３、８５）が、少なくとも部分的に前記第１の巻き取り装置（４４）と前記第２の巻き取り装置（４８）との間に提供されることを特徴とする、測定プローブ。
【請求項２】
前記球形位置決めキャップ（２１）が、軟磁性材料から製造され、ポットコア（４１）の中心ピン（４２）の一部であるか、又は前記ポットコア（４１）の前記中心ピン（４２）に固定されることを特徴とする、請求項１に記載の測定プローブ。
【請求項３】
前記球形位置決めキャップ（２１）が、前記丸い軸受表面（５７）に、硬質金属コーティングにより形成されるポルキャップ（５８）を有することを特徴とする、請求項１に記載の測定プローブ。
【請求項４】
前記球形位置決めキャップ（２１）が、前記丸い軸受け表面（５７）に、硬質金属芯又は硬質金属ピン（５９）により形成される前記ポルキャップ（５８）を有し、前記ポルキャップ（５８）は、少なくとも部分的に、前記ポットコア（４１）の方向におい前記て軸受け表面（５７）から前記球形位置決めキャップ（２１）の前記縦軸（１６）に沿って延びることを特徴とする、請求項１に記載の測定プローブ。
【請求項５】
前記球形位置決めキャップ（２１）が、前記軸受け表面（５７）と位置合わせして、周縁が先細りする領域（８１）を有し、前記領域（８１）に、フェライト材料から作られたスリーブ（８３）が提供され、前記スリーブ（８３）が、前記第２の巻き取り装置（４８）に向かう半径方向においてシールドを形成することを特徴とする、請求項１に記載の測定プローブ。
【請求項６】
前記スリーブ（８３）の自由前面が、前記球形位置決めキャップ（２１）の前記軸受け表面（５７）によって丸められることを特徴とする、請求項５に記載の測定プローブ。
【請求項７】
前記スリーブ（８３）が、前記ポットコア（４１）に向かう方向において前記軸受け表面（５７）から延び、前記スリーブ（８３）の長さは、前記第２の巻き取り装置（４８）の厚さよりも大きいことを特徴とする、請求項５に記載の測定プローブ。
【請求項８】
前記第２の巻き取り装置（４８）が、前記丸い軸受け表面（５７）の近傍に、前記球形位置決めキャップ（２１）に対して前記スリーブ（８３）の領域に位置決めされることを特徴とする、請求項５に記載の測定プローブ。
【請求項９】
フェライト材料から作られた遮蔽要素（８５）が、前記ポットコア（４１）内の前記第１の巻き取り装置（４４）と前記第２の巻き取り装置（４８）との間に提供され、前記第２の巻き取り装置（４８）に向かう軸方向においてシールドを形成することを特徴とする、請求項１に記載の測定プローブ。
【請求項１０】
前記遮蔽要素（８５）が、環状体又は円盤体として形成され、前記中心ピン（４２）から前記ポットコア（４１）の円筒形内壁部に延びることを特徴とする、請求項９に記載の測定プローブ。
【請求項１１】
重複領域（８６）が、前記遮蔽要素（８５）と前記スリーブ（８３）との間に形成されることを特徴とする、請求項１０に記載の測定プローブ。
【請求項１２】
少なくとも１つの第２のアルキメデスコイル（５０）が前記キャリア（４９）に提供され、前記第１のアルキメデスコイル（５１）を囲み、好ましくは、前記キャリア（４９）と同じ側又は逆側に配置されることを特徴とする、請求項１に記載の測定プローブ。
【請求項１３】
少なくとも１つの第２のアルキメデスコイル（５０）が前記キャリア（４９）に提供され、前記第１のアルキメデスコイル（５１）の逆側で前記キャリア（４９）に配置され、第１のアルキメデスコイル（５１）に少なくとも部分的に重なることを特徴とする、請求項１に記載の測定プローブ。
【請求項１４】
前記キャリア（４９）が、半導電材料からなり、前記第１又は第２の巻き取り装置（４４、４８）の実施又は内接回路を備えることを特徴とする、請求項１に記載の測定プローブ。
【請求項１５】
内部に実施されるか、又は内接する回路を有する前記キャリア（４９）が、ポットコア（４１）の外側、前記ポットコア（４１）内、又は前記筐体（１４）の外側を向いた前記ポットコア（４１）の前面に配置され、又は実施回路を有する前記キャリア（４９）が、前記第２の巻き取り装置（４８）の前記第１のコイル（５０）と前記第２のコイル（５１）との間に配置されることを特徴とする、請求項１４に記載の測定プローブ。
【請求項１６】
前記保持要素（１８）が、第１の面を向いた前記ポットコア（４１）の前面又は前記ポットコア（４１）の一部に配置され、前記筐体（１４）に対して前記センサ要素（１７）を受けることを特徴とする、請求項１に記載の測定プローブ。
【国際調査報告】
2014515481.tif 000007
2014515481.tif 000008
2014515481.tif 000009
2014515481.tif 000010